(57)【要約】【課題】使い勝手が良く、高精度感があって顧客満足度の高い携帯用切断工具を提供すること。【解決手段】動力源であるモータと、該モータの回転力をプランジャ２の往復運動に変換すると同時に切断方向に対して一定のタイミングで前後動作を発生させる機構と、前記プランジャ２に対して一定方向から作用力を加えて該プランジャ２が前後何れかへ移動後に元の位置へ戻そうとする機能を果たす板バネ（弾性体）１３を有し、プランジャ２の先端に取り付けられたブレード（刃具）が上下往復動と前後動を行うことによって各種材料の切断作業を行うジクソー（携帯用切断工具）において、前記板バネ１３が、一定方向のみならず別方向からも前記プランジャ２に対して作用力を加えることができる形状を有することを特徴とする。【選択図】図２
2007045109.tif 000002
【特許請求の範囲】
【請求項１】
動力源であるモータと、該モータの回転力をプランジャの往復運動に変換すると同時に切断方向に対して一定のタイミングで前後動作を発生させる機構と、前記プランジャに対して一定方向から作用力を加えて前記プランジャが前後何れかへ移動後に元の位置へ戻そうとする機能を果たす弾性体を有し、前記プランジャの先端に取り付けられた刃具が上下往復動と前後動を行うことによって各種材料の切断作業を行う携帯用切断工具において、
前記弾性体が、一定方向のみならず別方向からも前記プランジャに対して作用力を加えることができる形状を有することを特徴とする携帯用切断工具。
【請求項２】
前記弾性体の前記プランジャとの接触部がＲ形状で構成されていることを特徴とする請求項１記載の携帯用切断工具。
【請求項３】
前記弾性体を複数設けたことを特徴とする請求項１又は２記載の携帯用切断工具。
【請求項４】
前記プランジャの断面形状が長方形であることを特徴とする請求項１記載の携帯用切断工具。
【請求項５】
前記プランジャの断面形状が円筒であることを特徴とする請求項１記載の携帯用切断工具。
【発明の詳細な説明】
【技術分野】
【０００１】
本発明は、携帯用切断工具の内部機構に関するものである。
【背景技術】
【０００２】
従来の携帯用切断工具をジグソーを例として以下に説明する。
【０００３】
図５はジグソーの斜視図であり、ジグソーは、スイッチ１７を有するハンドル１８と、不図示の被切断材上を摺動する底面を持ち作業時のガイドとなるベース１９と、縦方向に往復するプランジャ２を有している。
【０００４】
ジグソーは、モータの回転力をプランジャ２の上下往復運動に変換する機構を有しており、プランジャ２の先端に取り付けられた鋼製のブレード３で木材や金属等の被切断材を切断する工具であり、直線状の切断は勿論、曲線状の切断も可能である。
【０００５】
ところで、ジグソーの中には、プランジャ２が単なる往復動作するだけでなく、切断方向に対して一定のタイミングでプランジャ２を前後方向へ動かす機能を有するものがある。
【０００６】
上記構造の例を図６〜図９に基づいて説明する。
【０００７】
図６はジグソー要部の側断面図、図７は図６のＢ−Ｂ線断面図、図８は図６の矢視Ｃ方向の図、図９は図６の矢視Ｄ方向の図である。
【０００８】
図６に示すように、モータ１の回転はギヤ４に伝達され、該ギヤ４の回転軸の軸心に対して一定量だけ偏心した位置に配置されたコネクティングピース５が回転運動を行う。ここで、コネクティングピース５は、図８に示すように、プランジャ２に設けられた長穴部２０に係合しており、一方でプランジャ２は、水平方向には動けぬよう、プランジャホルダ６，７で保持されているため、結果として上下方向への運動を行う。
【０００９】
ところで、前後動駆動機構を備えるジグソーでは、図６に示すように、ギヤ４に偏芯カム８が設けられており、該偏心カム８と上記プランジャ２と同様に係合されたオービタルカム９が上下運動を行い、ピン１０を介してローラホルダ１１に動力を伝達する。
【００１０】
ローラホルダ１１にはローラ１２が回転可能に連結されており、該ローラ１２は、図９に示すように、これに形成された溝にブレード３を挟み込むことによってブレード３の横方向への移動を或る位置で係止すると同時に、前記動力をブレード３に伝える役割を果たす。
【００１１】
一方で各機構部を保持するハウジング１４，１５（図７参照）には、ローラ１２から動力を伝達された際に反力を発生し、ローラ１２からの作用力が無いときにはプランジャ２が元の位置に戻るように作用する板バネ１３が設けられている。
【００１２】
以上構成を有するジグソーでは、図１０に示すように、プランジャ２の上昇時、即ち切断中にはローラ１２が前方に動き、ブレード３をより材料に食い込ませるように作用するため、単なる上下往復型ジグソーに比べて、より効率の良い切断作業が可能となる。
【００１３】
逆にプランジャ２の下降時には、図１１に示すようにローラ１２が後退し、それと同時に板バネ１３の反力がブレード３を材料から離すように作用するため、ブレード３が下降時に材料と引っ掛かり、ジグソー本体が持ち上がる「暴れ現象」を生じにくくする。
【特許文献１】特開２００４−００１３６３号公報
【発明の開示】
【発明が解決しようとする課題】
【００１４】
このように前後動駆動機構を備えるジグソーは非常に効果的な機能を果たす反面、以下のような問題も有している。
【００１５】
即ち、図８に示すように、プランジャホルダ６，７の挿通穴に、プランジャ２の円滑な運動のために最低のスキマ２１ａ，２１ｂを設ける必要があり、これらのスキマ２１ａ，２１ｂが大きいほどプランジャ２は横方向へぶれを生じ易くなる傾向がある。
【００１６】
上記問題への対策として、プランジャホルダ６，７の挿通穴やプランジャ２の側面へ精密加工を施し、プランジャ２のガタを極力抑える方法があるが、これには高い製造技術が必要となり、又、各部品の原価をつり上げるとにもなるため得策ではない。
【００１７】
上記した従来技術によるジグソーにおいてブレードの横ぶれ現象が生じた場合、例えば切り始めの際、狙いとするケガキ線へのブレード合わせを困難にするため、作業精度への悪影響が懸念される。
【００１８】
又、顧客がジグソーを手にしてこれを運転し、この現象を見た場合には、いかにも「精度の悪いジグソー」という印象を与え、購入意欲をそいでしまう恐れもある。
【００１９】
本発明は上記事情に鑑みてなされたもので、その目的とする処は、上記従来の欠点を解消し、使い勝手が良く、高精度感があって顧客満足度の高い携帯用切断工具を提供することにある。
【課題を解決するための手段】
【００２０】
上記目的を達成するため、請求項１記載の発明は、動力源であるモータと、該モータの回転力をプランジャの往復運動に変換すると同時に切断方向に対して一定のタイミングで前後動作を発生させる機構と、前記プランジャに対して一定方向から作用力を加えて前記プランジャが前後何れかへ移動後に元の位置へ戻そうとする機能を果たす弾性体を有し、前記プランジャの先端に取り付けられた刃具が上下往復動と前後動を行うことによって各種材料の切断作業を行う携帯用切断工具において、前記弾性体が、一定方向のみならず別方向からも前記プランジャに対して作用力を加えることができる形状を有することを特徴とする。
【００２１】
請求項２記載の発明は、請求項１記載の発明において、前記弾性体の前記プランジャとの接触部がＲ形状で構成されていることを特徴とする。
【００２２】
請求項３記載の発明は、請求項１又は２記載の発明において、前記弾性体を複数設けたことを特徴とする。
【００２３】
請求項４記載の発明は、請求項１記載の発明において、前記プランジャの断面形状が長方形であることを特徴とする。
【００２４】
請求項５記載の発明は、請求項１記載の発明において、前記プランジャの断面形状が円筒であることを特徴とする。
【発明の効果】
【００２５】
本発明による携帯用切断工具では、上下に高速運動する刃具の横ぶれを最小限に抑えることが可能となるため、切断作業の狙いとするケガキ線への刃具の合わせを行い易くなり、作業精度の向上を図ることができる。
【発明を実施するための最良の形態】
【００２６】
以下に本発明の実施の形態を添付図面に基づいて説明する。
【００２７】
図１は本発明に係る携帯用切断工具の一形態としてのジグソー要部の側断面図、図２は図１のＡ−Ａ線断面図であり、これらの図においては図５〜図１１に示したものと同一要素には同一符号を付している。
【００２８】
本実施の形態では、板バネ１３がプランジャ２の前後動方向だけでなく、横方向も保持する形状となっているのが特徴である。
【００２９】
即ち、板バネ１３のプランジャ２との接触部はＲ形状で構成されているため、プランジャ２が前後して板バネ１３が変形した場合でも、該板バネ１３は常にほぼ同じ位置で安定してプランジャ２を保持することができる。
【００３０】
そのため、たとえプランジャホルダ６，７の挿通穴に多少のスキマがあったとしても、板バネ１３が振動を吸収し、プランジャ２及びその先端に取り付けられたプレード３の横ぶれを最小限に抑えることができる。これは即ち、関係箇所の設計制約を緩和できることを意味しており、製造側にとっても好ましい構成となる。尚、板バネ１３は必ずしも１個である必要はない。
【００３１】
又、図３に示すように、図７に示した従来の構成に対し、上下ハウジング１４，１５にそれぞれプランジャ２の横の動きを規制するための弾性体１６ａ，１６ｂを設ければ、同様の結果が期待できる。構成によってはこの構成の方が組立性が良い場合も考えられる。
【００３２】
更にこれまでの構成では、プランジャ２の断面が長方形であったが、図４に示すようにこれを円筒形にとすることができる場合であれば、板バネ１３の形状をより簡素なものとすることができる。
【図面の簡単な説明】
【００３３】
【図１】本発明に係る携帯用切断工具の一形態としてのジグソー要部の側断面図である。
【図２】図１のＡ−Ａ線断面図である。
【図３】本発明の別形態を示す図２と同様の図である。
【図４】本発明の別形態を示す図２と同様の図である。
【図５】ジグソーの斜視図である。
【図６】従来のジグソー要部の側断面図である。
【図７】図６のＢ−Ｂ線断面図ある。
【図８】図６の矢視Ｃ方向の図である。
【図９】図６の矢視Ｄ方向の図である。
【図１０】従来のジグソーの動作説明図である。
【図１１】従来のジグソーの動作説明図である。
【符号の説明】
【００３４】
１        モータ
２        プランジャ
３        ブレード
４        ギヤ
５        コネクティングピース
６，７      プランジャホルダ
８        偏芯カム
９        オービタルカム
１０      ピン
１１      ローラホルダ
１２      ローラ
１３      板バネ
１４，１５    ハウジング
１６ａ，１６ｂ  弾性体
１７      スイッチ
１８      ハンドル
１９      ベース
２０      長穴部
２１ａ，２１ｂ  スキマ
【図１】
2007045109.tif 000003
【図２】
2007045109.tif 000004
【図３】
2007045109.tif 000005
【図４】
2007045109.tif 000006
【図５】
2007045109.tif 000007
【図６】
2007045109.tif 000008
【図７】
2007045109.tif 000009
【図８】
2007045109.tif 000010
【図９】
2007045109.tif 000011
【図１０】
2007045109.tif 000012
【図１１】
2007045109.tif 000013